(57)【特許請求の範囲】
【請求項１】
１つの画像群に属する複数の画像に対応した画像データを記憶する記憶手段と、
前記１つの画像群に属する複数の画像のうちの互いに異なる画像をそれぞれ含み、且つ、各画像に関するプリント情報及び前記１つの画像群における代表画像の選択情報の入力操作が可能な複数の表示画面が順次表示されるようにディスプレイへの表示内容を制御する制御手段と、
前記表示画面がディスプレイに表示された状態で代表画像の選択情報の入力操作が行われた場合に、前記１つの画像群における代表画像の選択情報を受け付ける選択情報受付手段と、
前記選択情報受付手段で受け付けられた選択情報に基づいて前記１つの画像群における所定数の代表画像を決定する決定手段とを備えており、
前記決定手段で前記所定数の代表画像が決定された後で、前記選択情報受付手段が新規の選択情報を受け付けた場合には、
前記決定手段は、前記所定数の代表画像のいずれかを前記新規の選択情報に係る画像に変更し、
前記制御手段は、前記所定数の代表画像及び前記新規の選択情報に係る画像を含み、且つ、代表画像の更新情報の入力操作が可能な表示画面をディスプレイに表示すると共に、
前記表示画面がディスプレイに表示された状態で代表画像の更新情報の入力操作が行われた場合に、代表画像の更新情報を受け付ける更新情報受付手段をさらに備えており、
前記決定手段は、前記更新情報受付手段が代表画像の更新情報を受け付けた場合に限って、前記所定数の代表画像のいずれかを前記新規の選択情報に係る画像に変更することを特徴とするプリント装置。
【請求項２】
前記制御手段は、代表画像の更新取消情報の入力操作が可能な表示画面をディスプレイに表示すると共に、
前記表示画面がディスプレイに表示された状態で代表画像の更新取消情報の入力操作が行われた場合に、代表画像の更新取消情報を受け付ける更新取消情報受付手段をさらに備えており、
前記決定手段は、前記更新取消情報受付手段が代表画像の更新取消情報を受け付けた場合には、前記所定数の代表画像を更新される前の状態に戻すことを特徴とする請求項１に記載のプリント装置。
【発明の詳細な説明】
【技術分野】
【０００１】
本発明は、複数の画像の中から選択された代表画像がプリントされたジャケットを作製可能なプリント装置に関するものである。
【背景技術】
【０００２】
近年、デジタル技術の進歩により、ラボ店（写真店）において、現像済みネガフィルムの画像をスキャナによって読み取ることでデジタルデータ化し、この画像データをＣＤやＤＶＤ等の記録媒体に所定のファイル形式で記録して顧客に提供するというサービスが浸透しつつある。このとき、記録媒体に記録される画像データに対応した複数の画像の中から代表的な画像が選択され、その画像がプリントされたジャケットが記録媒体とともにメディアケース（収納容器）に収納される（例えば、特許文献１参照）。
【特許文献１】特開２００５−７０８９５号公報
【発明の開示】
【発明が解決しようとする課題】
【０００３】
ここで、ジャケットにプリントされる画像は、複数の画像が一覧表示された画面において、１又は複数の画像が選択されるのが一般的である。しかしながら、多くの画像が一覧表示された場合には、各画像の大きさが非常に小さくなるので、画像の内容が分かりにくくなり選択するのが困難になる。また、現像済みネガフィルムから読み取られた画像データに基づいてプリントを行うプリント装置では、プリントが行われる前に、所定数毎（例えば６コマ毎）の画像が表示されたプレジャッジ画面において色補正やプリント枚数の指定などの操作が行われる必要がある。従って、プレジャッジ画面において全ての画像に対する操作が行われた後で、プレジャッジ画面とは異なる別の画面でジャケットにプリントされる画像の選択を行う場合には、全ての画像を２回ずつ確認することになるので、非常に手間がかかる。
【０００４】
そこで、本発明の主な目的は、ジャケットにプリントされる代表画像を複数の画像の中から容易に選択できるプリント装置を提供することである。
【課題を解決するための手段および発明の効果】
【０００５】
本発明のプリント装置は、１つの画像群に属する複数の画像に対応した画像データを記憶する記憶手段と、前記１つの画像群に属する複数の画像のうちの互いに異なる画像をそれぞれ含み、且つ、各画像に関するプリント情報及び前記１つの画像群における代表画像の選択情報の入力操作が可能な複数の表示画面が順次表示されるようにディスプレイへの表示内容を制御する制御手段と、前記表示画面がディスプレイに表示された状態で代表画像の選択情報の入力操作が行われた場合に、前記１つの画像群における代表画像の選択情報を受け付ける選択情報受付手段と、前記選択情報受付手段で受け付けられた選択情報に基づいて前記１つの画像群における所定数の代表画像を決定する決定手段とを備えており、前記決定手段で前記所定数の代表画像が決定された後で、前記選択情報受付手段が新規の選択情報を受け付けた場合には、前記決定手段は、前記所定数の代表画像のいずれかを前記新規の選択情報に係る画像に変更し、前記制御手段は、前記所定数の代表画像及び前記新規の選択情報に係る画像を含み、且つ、代表画像の更新情報の入力操作が可能な表示画面をディスプレイに表示すると共に、前記表示画面がディスプレイに表示された状態で代表画像の更新情報の入力操作が行われた場合に、代表画像の更新情報を受け付ける更新情報受付手段をさらに備えており、前記決定手段は、前記更新情報受付手段が代表画像の更新情報を受け付けた場合に限って、前記所定数の代表画像のいずれかを前記新規の選択情報に係る画像に変更することを特徴としている。
【０００７】
この構成によると、互いに異なる複数の画像がそれぞれ含まれる表示画面がディスプレイに順次表示される間に、各画像に関するプリント情報（例えば、色補正に関する情報やプリント枚数に関する情報など）を入力すると共に、その画像群における代表画像の選択情報を入力することができる。従って、各画像は比較的大きなサイズでディスプレイに表示されているので、各画像の内容を容易に確認でき、適正な代表画像を選択することができる。また、各画像に関するプリント情報を入力した後で、再度、その画像群の複数の画像を表示し、代表画像の選択情報の入力を行う必要がなくなるので、代表画像の選択作業を速やかに完了することができる。さらに、所定数の代表画像が決定された後で新規の選択情報を入力した場合には、代表画像の更新が行われる前に、所定数の代表画像及び新規の選択情報に係る画像の両方が表示されるので、これらの画像の内容を確認した上で、新規の選択情報に基づいて代表画像を更新するかどうかを判断することができる。
【０００８】
また、所定数の代表画像が決定された後で新規の選択情報が受け付けられた場合には、所定数の代表画像のいずれかが新規の選択情報に係る画像に自動的に変更される。従って、所定数を超える新規の選択情報を入力する際に、既に入力した選択情報のいずれかを取り消す作業を別途行う必要がない。
【００１１】
本発明のプリント装置では、前記制御手段は、代表画像の更新取消情報の入力操作が可能な表示画面をディスプレイに表示すると共に、前記表示画面がディスプレイに表示された状態で代表画像の更新取消情報の入力操作が行われた場合に、代表画像の更新取消情報を受け付ける更新取消情報受付手段をさらに備えており、前記決定手段は、前記更新取消情報受付手段が代表画像の更新取消情報を受け付けた場合には、前記所定数の代表画像を更新される前の状態に戻してもよい。
【００１２】
この構成によると、所定数の代表画像を更新した後で、更新前の状態に容易に戻すことができる。
【発明を実施するための最良の形態】
【００１３】
以下、本発明の実施の形態について、図面を参照しつつ説明する。図１は、本発明の実施の形態に係る写真処理装置の概略構成を示す図である。図２は、図１の写真処理装置の概略構成を示すブロック図である。
【００１４】
図１に示す写真処理装置１は、写真フィルム２から画像データを読み取り、読み取った画像データに画像処理を行う画像処理ユニット１０と、画像処理が行われた後の画像データに基づいてプリント（現像処理などの種々の処理を含む）を行うプリントユニット５０とを有している。
【００１５】
画像処理ユニット１０は、写真フィルム２のコマ画像の情報を光電変換によりデジタル信号化して読み取るフィルムスキャナ１１と、各種情報を表示するＣＲＴ型のディスプレイ１２と、画像処理及び各種処理を実現するため汎用コンピュータを含む制御ユニット１３とを有している。また、制御ユニット１３には、各種情報を入力するためのキーボード１４と、マウス１５と、ＣＤ、ＭＯ、ＦＤ等のディスク型のメディアからの情報を取得またはメディアへの情報の書き込みを行うメディアドライブ１６とが接続されている。
【００１６】
フィルムスキャナ１１は、発光ダイオードやハロゲンランプ等を有する光源部１１ａと、光源部１１ａの上方に配置されたズームレンズ１１ｂと、ズームレンズからの画像情報をＲ（赤）、Ｇ（緑）、Ｂ（青）の三原色に色分解した画像データとして取り込むラインＣＣＤ型の光電変換部１１ｃとを有している。フィルムスキャナ１１では、写真フィルム２のスキャニングを行う場合には、その写真フィルム２のサイズに適合したフィルムキャリア１１ｄを光源部１１ａの上面に装着してスキャニングを開始することにより、写真フィルム２を副走査方向（長手方向）に搬送する作動と同期して光電変換部１１ｃにおいて写真フィルム２の画像情報を主走査方向に沿ってデジタル信号化して取り込む処理が行われ、取り込まれた画像データは制御ユニット１３に転送され保存される。
【００１７】
また、制御ユニット１３には、写真処理装置１に係る各種動作の制御プログラムやデータなどが格納されたＲＯＭ、写真処理装置１の各部の動作を制御する信号を生成するために各種演算を実行するＣＰＵ、各種設定やＣＰＵでの演算結果などのデータを一時保管するＲＡＭなどの部材が含まれている。これら各種部材およびソフトウェアによって、図２に示すように、画像データ記憶部３１と、表示制御部３２と、選択情報受付部３３と、更新情報受付部３４と、更新取消情報受付部３５と、決定部３６と、プリント条件記憶部３７と、プリント制御部３８とが形成されている。
【００１８】
画像データ記憶部３１は、フィルムスキャナ１１で読み取られた画像データを記憶する。ここで、画像データ記憶部３１では、複数の画像に対応した画像データは、例えば１つのオーダーに対応した画像群ごとに記憶されている。
【００１９】
表示制御部３２は、ディスプレイ１２に表示される表示内容つまり表示画面の内容を制御する。ここで、写真処理装置１では、プリントユニット５０でのプリントが行われる前に、画像処理ユニット１０において各画像に関する色補正やプリント枚数の指定などの操作を行う必要があるので、表示制御部３２は、画像データ記憶部３１に記憶された画像データに対応した画像を含むプレジャッジ画面（図４参照）をディスプレイ１２に表示する。
【００２０】
本実施の形態では、プレジャッジ画面４０は、後述するように、６コマの画像が表示された画面であり、各画像の下方に配置された色補正ボタン４１を操作したり、プリント枚数入力ボックス４２にプリント枚数を入力することによって、各画像に関するプリント条件の入力操作が可能になっている。そして、プレジャッジ画面４０の下端部に表示された「戻る」ボタン４３（図５参照）や「次へ」ボタン４４（又は「完了」ボタン４４ａ（図７参照））を操作することにより、互いに異なる画像が表示されたプレジャッジ画面４０に切り換えながら、１つのオーダーに含まれる全ての画像に関する色補正やプリント枚数の指定などの操作が行われる。
【００２１】
また、プレジャッジ画面４０には、６コマの全ての画像に関して、各画像の右上方に配置されたジャケット画像選択ボックス４５が表示される。つまり、プレジャッジ画面４０は、１つのオーダーに含まれる複数の画像の中で、ジャケットにプリントされる画像（ジャケット画像）の選択情報の入力操作が可能になっている。ここで、本実施の形態では、ジャケット画像は、１つのオーダーに含まれる複数の画像の中から選択された１つの画像であるものとする。
【００２２】
また、ジャケット画像が一度選択された後で、その他の画像に更新された場合には、プレジャッジ画面４０には、「更新取消」ボタン４６（図７参照）が表示される。つまり、ジャケット画像の更新が行われた後のプレジャッジ画面４０は、ジャケット画像を更新前の状態に戻す更新取消情報の入力操作が可能になっている。
【００２３】
選択情報受付部３３は、プレジャッジ画面４０がディスプレイ１２に表示された状態で、６コマの画像のうちのいずれかのジャケット画像選択ボックス４５にチェックマークが付けられた場合に、その画像がジャケット画像に選択されたことを示す選択情報を受け付ける。
【００２４】
更新情報受付部３４は、ジャケット画像を更新することを示す更新情報を受け付ける。本実施の形態では、プレジャッジ画面４０において、ある１つの画像がジャケット画像に選択された後で、その他の画像がさらに選択された場合には、プレジャッジ画面４０上にジャケットの画像選択ウィンドウ４７（図６参照）が表示される。画像選択ウィンドウ４７には、それまでのジャケット画像及び新規に選択された画像の両方が表示される。また、画像選択ウィンドウ４７には、「ＹＥＳ：ＯＫ」ボタン４８及び「ＮＯ：キャンセル」ボタン４９が表示されている。従って、更新情報受付部３４は、画像選択ウィンドウ４７の「ＹＥＳ：ＯＫ」ボタン４８が操作された場合に、新規の選択情報に基づいてジャケット画像を更新することを示す更新情報を受け付ける。
【００２５】
更新取消情報受付部３５は、ジャケット画像が更新された後で、その更新を取り消すことを示す更新取消情報を受け付ける。上述したように、ある１つの画像がジャケット画像に選択された後で、ジャケット画像をその他の画像に更新した場合には、プレジャッジ画面４０には、「更新取消」ボタン４６が表示される。従って、更新取消情報受付部３５は、「更新取消」ボタン４６が操作された場合に、ジャケット画像を更新前の画像に戻す更新取消情報を受け付ける。
【００２６】
決定部３６は、選択情報受付部３３で受け付けられた選択情報に基づいて、１つのオーダーに含まれる複数の画像の中から１つのジャケット画像を決定する。ここで、決定部３６は、プレジャッジ画面４０がディスプレイ１２に表示された状態で、選択情報受付部３３が２以上の選択情報を受け付けた場合には、最後の選択情報に係る画像をジャケット画像に決定する。従って、決定部３６は、選択情報受付部３３が少なくとも１つの選択情報を受け付けた後は、ジャケット画像となる画像のデータとして、常に、１つの画像データを記憶している。
【００２７】
具体的に説明すると、１つのプレジャッジ画面４０における６コマの画像のうちの１つの画像のジャケット画像選択ボックス４５にチェックマークが付けられた状態で、同じプレジャッジ画面４０における６コマの画像のうちの他の画像のジャケット画像選択ボックス４５にチェックマークが付けられた場合には、決定部３６は、後からチェックマークが付けられたジャケット画像選択ボックス４５に対応した画像をジャケット画像に決定する。従って、プレジャッジ画面４０では、他の画像のジャケット画像選択ボックス４５にチェックマークが付けられた時点で、先にチェックマークが付けられたジャケット画像選択ボックス４５のチェックマークは無効になる。
【００２８】
これと同様に、１つのプレジャッジ画面４０における６コマの画像のうちの１つの画像のジャケット画像選択ボックス４５にチェックマークが付けられた後で、その他のプレジャッジ画面４０における６コマの画像のうちの１つの画像のジャケット画像選択ボックス４５にチェックマークが付けられた場合には、決定部３６は、後からチェックマークが付けられたジャケット画像選択ボックス４５に対応した画像をジャケット画像に決定する。従って、先にチェックマークが付けられたプレジャッジ画面４０では、他の画像のジャケット画像選択ボックス４５にチェックマークが付けられた時点で、先にチェックマークが付けられたジャケット画像選択ボックス４５のチェックマークは無効になる。
【００２９】
また、本実施の形態では、決定部３６でのジャケット画像が更新される前に、画像選択ウィンドウ４７がディスプレイ１２に表示され、ジャケット画像の更新を行うか否かが確認される。従って、決定部３６は、画像選択ウィンドウ４７の「ＹＥＳ：ＯＫ」ボタン４８が操作されることにより、更新情報受付部３４が更新情報を受け付けた場合に限って、ジャケット画像の更新を行う。また、決定部３６は、プレジャッジ画面４０の「更新削除」ボタン４６が操作されることにより、更新取消情報受付部３５が更新取消情報を受け付けた場合には、ジャケット画像を更新前の状態に戻す。ここで、プレジャッジ画面４０の「更新削除」ボタン４６が複数回操作された場合には、ジャケット画像が複数回の更新前の状態に戻される。
【００３０】
プリント条件記憶部３７は、プレジャッジ画面４０がディスプレイ１２に表示された状態で入力された各画像の色補正に関する条件及びプリント枚数を記憶する。プリント制御部３８は、プリント条件記憶部３７に記憶されたプリント条件に基づいてプリントが行われるようにプリントユニット５０を制御する。また、プリント制御部３８は、決定部３６に記憶されたジャケット画像に対応した画像データに基づいてジャケットプリントが行われるように、プリントユニット５０を制御する。
【００３１】
次に、写真フィルムの読み取りからプリントまでの手順について、図３を参照して説明する。図３は、写真フィルムの読み取りからプリントまでの手順を示すフローチャートである。
【００３２】
まず、フィルムスキャナ１１により写真フィルム２のコマ画像が読み取られる（ステップＳ１０１）と、読み取られた画像データがオーダー毎に画像データ記憶部３１に記憶される（ステップＳ１０２）。すると、６コマの画像を含むプレジャッジ画面４０がディスプレイ１２に表示される（ステップＳ１０３）。そして、プレジャッジ画面４０の各画像の下方に配置された色補正ボタン４１が操作されたり、枚数入力ボックス４２にプリント枚数が入力されることによって、各画像に関するプリント条件の設定が行われる（ステップＳ１０４）。このとき、プレジャッジ画面４０がディスプレイ１２に表示された状態で、ジャケット画像の選択を行うことができる。
【００３３】
従って、ジャケット画像の選択が行われたか否か（ジャケット画像の選択情報を受け付けたか否か）、すなわち、６コマの画像のいずれかのジャケット画像選択ボックス４５にチェックマークが付けられたか否かが判断される（ステップＳ１０５）。そして、ジャケット画像の選択が行われた場合（Ｓ１０５：ＹＥＳ）には、ジャケット画像の選択が既に行われていたか否かが判断される（ステップＳ１０６）。ここで、ジャケット画像の選択が既に行われていなかった場合（Ｓ１０６：ＮＯ）には、ジャケット画像が新規の選択情報に係る画像に決定される（ステップＳ１０９）。
【００３４】
一方、ジャケット画像の選択が既に行われていた場合（Ｓ１０６：ＹＥＳ）には、プレジャッジ画面４０上に画像選択ウィンドウ４７が表示される（ステップＳ１０７）。そして、画像選択ウィンドウの「ＹＥＳ：ＯＫ」ボタン４８が操作されたか否かが判断される（ステップＳ１０８）。画像選択ウィンドウの「ＹＥＳ：ＯＫ」ボタン４８が操作された場合（Ｓ１０８：ＹＥＳ）には、それまでのジャケット画像が新規の選択情報に係る画像に更新される（ステップＳ１０９）。
【００３５】
画像選択ウィンドウ４７の「ＹＥＳ：ＯＫ」ボタン４８が操作されないで「ＮＯ：キャンセル」ボタン４９が操作された場合（Ｓ１０８：ＮＯ）には、新規のジャケット画像の選択が行われたプレジャッジ画面４０に戻って、上述と同様の処理が行われる。
【００３６】
また、ジャケット画像の選択が行われない場合（Ｓ１０５：ＮＯ）、ジャケット画像が新規の選択情報に係る画像に決定又は更新された場合（ステップＳ１０９）には、プレジャッジ画面にまだ表示されていない他の画像があるか否かが判断される（ステップＳ１１０）。そして、プレジャッジ画面にまだ表示されていない他の画像がある場合（Ｓ１１０：ＹＥＳ）には、ステップＳ１０３に戻って、次の６コマの画像を含むプレジャッジ画面４０がディスプレイ１２に表示され、上述と同様の処理が繰り返される。
【００３７】
一方、プレジャッジ画面にまだ表示されていない他の画像がない場合（Ｓ１１１：ＮＯ）には、全ての画像に関するプリント条件の設定及びジャケット画像の選択が終了し、プリントの準備が完了するので、プリントユニット５０での各画像のプリント及び代表画像のジャケットプリントが行われる（ステップＳ１１１）。
【００３８】
次に、１つのオーダーに含まれる複数の画像の中からジャケット画像が選択される際の手順の一例について、図４〜図８に示す表示画面を参照して説明する。ここでは、１つのオーダーには、ファイル番号００１〜０１８の１８コマの画像データが含まれる場合について説明する。
【００３９】
１つのオーダーに含まれるファイル番号００１〜０１８の１８コマの画像データが読み取られると、ファイル番号００１〜００６の６コマの画像を含むプレジャッジ画面４０ａがディスプレイ１２に表示される。ここで、図４に示すように、ファイル番号００１〜００６の６コマの画像のうちのファイル番号００１の画像のジャケット画像選択ボックス４５にチェックマークが付けられた場合には、選択情報受付部３３は、ファイル番号００１の画像に関する選択情報を受け付ける。このとき、決定部３６は、この選択情報に基づいて、ファイル番号００１の画像をジャケット画像に決定する。
【００４０】
そして、プレジャッジ画面４０ａがディスプレイ１２に表示された状態で、ファイル番号００１〜００６の６コマの画像のプリント条件の設定及びジャケット画像の選択（ジャケット画像の選択を行わない場合を含む）が終了すると、「次へ」ボタン４４が操作される。すると、ファイル番号００７〜０１２の６コマの画像を含むプレジャッジ画面４０ｂがディスプレイ１２に表示される。ここで、図５に示すように、ファイル番号００７〜０１２の６コマの画像のうちのファイル番号００９の画像のジャケット画像選択ボックス４５にチェックマークが付けられた場合には、図６に示すように、画像選択ウィンドウ４７がプレジャッジ画面４０ｂ上に表示される。
【００４１】
画像選択ウィンドウ４７には、それまでのジャケット画像であるファイル番号００１の画像及び新規に選択されたファイル番号００９の画像の両方が表示されるので、これらの画像を確認しながらジャケット画像の更新を行うか否かが判断される。そして、「ＹＥＳ：ＯＫ」ボタン４８が操作された場合には、更新情報受付部３４が更新情報を受け付けるので、決定部３６は、新規の選択情報に基づいて、ジャケット画像をファイル番号００１の画像からファイル番号００９の画像を更新する。すると、画像選択ウィンドウ４７が消えて、図５のプレジャッジ画面４０ｂがディスプレイ１２に表示された状態に戻る。
【００４２】
そして、プレジャッジ画面４０ｂがディスプレイ１２に表示された状態で、ファイル番号００７〜００１２の６コマの画像のプリント条件の設定及びジャケット画像の選択（ジャケット画像の選択を行わない場合を含む）が終了すると、「次へ」ボタン４４が操作される。すると、ファイル番号０１３〜０１８の６コマの画像を含むプレジャッジ画面４０ｃがディスプレイ１２に表示される。また、プレジャッジ画面４０ｂの「戻る」ボタン４３が操作された場合には、図４のプレジャッジ画面４０ａがディスプレイ１２に表示された状態に戻る。
【００４３】
ここで、図７に示すように、ファイル番号０１３〜０１８の６コマの画像のうちのファイル番号０１３の画像のジャケット画像選択ボックス４５にチェックマークが付けられた場合には、図８に示すように、画像選択ウィンドウ４７がプレジャッジ画面４０ｃ上に表示される。
【００４４】
画像選択ウィンドウ４７には、それまでのジャケット画像であるファイル番号００９の画像及び新規に選択されたファイル番号０１３の画像の両方が表示されるので、これらの画像を確認しながらジャケット画像の更新を行うか否かが判断される。そして、「ＹＥＳ：ＯＫ」ボタン４８が操作された場合には、更新情報受付部３４が更新情報を受け付けるので、決定部３６は、新規の選択情報に基づいて、ジャケット画像をファイル番号００９の画像からファイル番号０１３の画像を更新する。すると、画像選択ウィンドウ４７が消えて、図７のプレジャッジ画面４０ｃがディスプレイ１２に表示された状態に戻る。
【００４５】
そして、プレジャッジ画面４０ｃがディスプレイ１２に表示された状態で、ファイル番号０１３〜００１８の６コマの画像のプリント条件の設定及びジャケット画像の選択（ジャケット画像の選択を行わない場合を含む）が終了すると、「完了」ボタン４４ａが操作される。ここで、プレジャッジ画面４０ａ〜４０ｃがディスプレイ１２に表示された状態で、ジャケット画像の選択が全く行われていない場合には、ジャケット画像の選択を行う旨の表示が行われると共に、再度、プレジャッジ画面４０ａ〜４０ｃがディスプレイ１２に順次表示される。
【００４６】
また、プレジャッジ画面４０ｃの「更新取消」ボタン４６が操作された場合には、決定部３６は、この更新取消情報に基づいて、更新前の状態に戻すために、ジャケット画像をファイル番号０１３の画像からファイル番号００９の画像に変更する。そして、さらに「更新取消」ボタン４６が操作された場合には、決定部３６は、この更新取消情報に基づいて、ジャケット画像をファイル番号００９の画像からファイル番号００１の画像に変更する。また、プレジャッジ画面４０ｃの「戻る」ボタン４３が操作された場合には、図５のプレジャッジ画面４０ｂがディスプレイ１２に表示された状態に戻る。
【００４７】
以上説明したように、本実施の形態の写真処理装置１では、１つのオーダーの複数の画像が含まれるプレジャッジ画面４０がディスプレイ１２に順次表示される間に、各画像に関するプリント条件を設定すると共に、そのオーダーのジャケット画像の選択情報を入力することができる。従って、各画像が比較的大きなサイズでディスプレイ１２に表示されているので、各画像の内容を容易に確認でき、適正なジャケット画像を選択することができる。また、各画像に関するプリント条件を設定した後で、再度、そのオーダーの複数の画像を表示し、ジャケット画像の選択情報の入力を行う必要がなくなるので、ジャケット画像の選択作業を速やかに完了することができる。
【００４８】
また、１つのジャケット画像が決定された後で、その他の画像を新規に選択した場合には、ジャケット画像の更新が行われる前に、それまでのジャケット画像及び新規に選択された画像の両方が表示されるので、これらの画像の内容を確認した上で、ジャケット画像を新規に選択した画像に更新するかどうかを判断することができる。そして、ジャケット画像を更新すると判断された場合には、それまでのジャケット画像が新規に選択された画像に自動的に変更される。従って、２以上の画像を選択した場合でも、既に入力した選択情報を取り消す作業を別途行う必要がない。
【００４９】
また、ジャケット画像の更新が行われた場合には、プレジャッジ画面４０に「更新取消」ボタン４６が表示されるので、「更新取消」ボタン４６を操作することにより、ジャケット画像を更新前の状態に容易に戻すことができる。
【００５０】
以上、本発明の好適な一実施の形態について説明したが、本発明は上述の実施の形態に限られるものではなく、特許請求の範囲に記載した限りにおいて様々な設計変更が可能なものである。例えば、上述の実施の形態では、１つのオーダーに含まれる複数の画像の中から１つのジャケット画像が選択される場合を説明したが、１つのオーダーに含まれる複数の画像の中から２以上の所定数のジャケット画像が選択されてもよい。この場合には、所定数の画像がジャケット画像に決定された後で、その他の画像を新規に選択した場合に表示されるジャケットの画像選択ウィンドウには、２以上の所定数のジャケット画像及び新規に選択された画像の両方が表示されることが好ましい。また、このとき、画像選択ウィンドウにおいて、新規に選択された画像と変更される画像を、それまでの所定数のジャケット画像の中から選択できることがより好ましい。
【図面の簡単な説明】
【００５１】
【図１】本発明の実施の形態に係る写真処理装置の概略構成を示す図である。
【図２】図１の写真処理装置の概略構成を示すブロック図である。
【図３】写真フィルムの読み取りからプリントまでの手順を示すフローチャートである。
【図４】ディスプレイの表示画面の一例を示す図である。
【図５】ディスプレイの表示画面の一例を示す図である。
【図６】ディスプレイの表示画面の一例を示す図である。
【図７】ディスプレイの表示画面の一例を示す図である。
【図８】ディスプレイの表示画面の一例を示す図である。
【符号の説明】
【００５２】
１  写真処理装置（プリント装置）
３１  画像データ記憶部（記憶手段）
３２  表示制御部（制御手段）
３３  選択情報受付部（選択情報受付手段）
３４  更新情報受付部（更新情報受付手段）
３５  更新取消情報受付部（更新取消情報受付手段）
３６  決定部（決定手段）
３７  プリント条件記憶部
３８  プリント制御部
【図１】
0004654941.tif 000002
【図２】
0004654941.tif 000003
【図３】
0004654941.tif 000004
【図４】
0004654941.tif 000005
【図５】
0004654941.tif 000006
【図６】
0004654941.tif 000007
【図７】
0004654941.tif 000008
【図８】
0004654941.tif 000009